(57)【要約】【課題】ＵＥからＮｏｄｅ Ｂに伝送されるデータレートに関する情報を表現するビット数を減小させる装置及び方法を提供する。【解決手段】高速のデータとこれに該当する制御情報を送受信する基地局(Ｎｏｄｅ Ｂ)と移動端末(user equipment；ＵＥ)とを含む移動通信システムにおいてＵＥからＮｏｄｅ Ｂへ制御情報を伝送する方法であって、管理している制御情報のうち使用可能な制御情報のみを抽出し、抽出された制御情報の各々に該当する識別子を再設定し、再設定された識別子からＮｏｄｅ Ｂに伝送するデータに該当する識別子を選択し、選択された識別子を伝送する。【選択図】図６
2008236771.tif 000002
【特許請求の範囲】
【請求項１】
データを伝送する移動端末と貯蔵された前記移動端末が伝送した識別子に該当する制御情報を用いて受信データを復元する基地局とを含む移動通信システムにおいて前記移動端末から前記制御情報を伝送する方法であって、
伝送しようとする制御情報に該当する各識別子を変更されずに伝送される部分と変更されて伝送される部分に区分するステップと、
前記伝送しようとする制御情報に該当する識別子のうち前記変更されて伝送される部分のみを伝送するステップと、
を含むことを特徴とする方法。
【請求項２】
前記変更されて伝送される部分は、
識別子を構成し、制御情報を表すビットのうち下位ビットであることを特徴とする請求項１記載の方法。
【請求項３】
前記制御情報に該当する識別子が変更されると、前記伝送しようとする制御情報に該当する識別子のすべてを伝送することを特徴とする請求項２記載の方法。
【請求項４】
データを伝送する移動端末と貯蔵された前記移動端末が伝送した識別子に該当する制御情報を用いて受信データを復元する基地局とを含む移動通信システムにおいて前記制御情報を伝送する装置であって、
前記基地局と、
伝送しようとする制御情報に該当する各識別子を変更されずに伝送される部分と変更されて伝送される部分とに区分し、前記伝送しようとする制御情報に該当する識別子のうち前記変更されて伝送される部分のみを伝送する前記移動端末と、
から構成されることを特徴とする装置。
【請求項５】
前記変更されて伝送される部分は、
識別子を構成し、制御情報を表すビットのうち下位ビットであることを特徴とする請求項４記載の装置。
【請求項６】
前記移動端末は、
前記制御情報に該当する識別子が変更されると、前記伝送しようとする制御情報に該当する識別子のすべてを伝送することを特徴とする請求項５記載の装置。
【請求項７】
移動通信システムで移動端末が基地局にデータを伝送する方法であって、
移動端末が基地局に前記データの伝送に従う最大伝送可能な伝送フォーマット組合せセットの位置に関する情報を受信するステップと、
前記データの量と前記位置に関する情報とに基づいて、選択された伝送フォーマット組合せセットを有効部分と非有効部分とに区分するステップと、
前記非有効部分の情報をフレームに割り当てて反復的に伝送するステップと、
を含むことを特徴とする方法。
【発明の詳細な説明】
【技術分野】
【０００１】
本発明は、移動通信システムのデータの伝送に関し、特に、端末(user equipment；ＵＥ)が基地局(Ｎｏｄｅ Ｂ)にデータを伝送するのに使用するデータレートをスケジューリングし、このスケジューリングされたデータレートに該当する制御情報を伝送する装置及び方法に関する。
【背景技術】
【０００２】
広く使用される移動通信システムの一つの例である符号分割多重接続(Code Division Multiple Access；以下、ＣＤＭＡと称する。)移動通信システムは、音声信号の送受信を主にするＩＳ−９５規格から発展し、現在、音声信号のみならず高速データの伝送が可能なＩＭＴ−２０００規格に発展している。特に、ＩＭＴ−２０００規格では、高品質の音声、動画像、ネットサーフィンサービス(Internet surfing service)などのようなサービスを目標としている。
【０００３】
ＣＤＭＡ移動通信システムのネットワークにおいて、各ＵＥの受信信号のレベル及びノイズライズ(Noise rise)を考慮して、新たなＵＥがネットワークに接続する場合、このＵＥに許容することができる最大データの伝送速度を通報する。そうすると、このＵＥは、通報された最大データの伝送速度と伝送するデータ量及び優先度(Priority)とを考慮して、最大データの伝送速度の以内で最適の伝送速度を設定することになる。このＵＥは、設定された最適の伝送速度を用いてデータを伝送する。
【０００４】
図１は、無線網制御器(Radio Network Controller；ＲＮＣ)が自分が制御する複数の基地局(Ｎｏｄｅ Ｂ)の間の干渉レベルを考慮して、自身が管轄するＮｏｄｅ Ｂに属したＵＥに割り当てる伝送フォーマット組合せセット(Transport Format Combination Set；ＴＦＣＳ)を示す。
【０００５】
このＴＦＣＳは、ＵＥがデータを伝送するのに使用することができる伝送フォーマット、すなわち、データレートを定義する。図１において、ＴＦＣＳ１００は、伝送フォーマット組合せ(Transport Format Combination；ＴＦＣ)０〜１０(ＴＦＣ０〜ＴＦＣ１０)で構成されている。このＴＦＣ０は、一番高いデータの伝送速度を示し、このＴＦＣ１０は、一番低いデータの伝送速度を示す。このＵＥは、受信したこのＴＦＣＳと伝送しようとするデータ量であるバッファ容量(Buffer Occupancy)及び最大伝送電力(Ｍａｘ_Ｔｘ_Ｐｗｒ)とを考慮して、伝送フォーマット組合せを選択する。図１は、このＵＥが矢印１０２で示すように、ＴＦＣ６を選択したことを示している。上述したように、このＵＥのデータの伝送速度は、伝達されたＴＦＣＳを用いてこのＵＥが自らスケジューリングする。
【０００６】
このＵＥがこのＴＦＣを自律的に決定する場合、このＲＮＣは、自分が管轄する領域に属するＮｏｄｅ Ｂのノイズライズの変化を反映するのに長い時間がかかる。即座に変化するＮｏｄｅ Ｂのノイズライズの変化を反映するのにかかる時間が長くなるほど、このＲＮＣが管轄するＮｏｄｅ Ｂにアクセスする新たなＵＥに伝送されるＴＦＣＳでも、変化したノイズライズを正確に反映することができない。
【０００７】
さらに、バースト(Burst)したデータの伝送特性を有するパケットデータの場合には、このノイズライズの分散(variance)が音声データに比べて相対的に大きい。また、ＵＥがこのＴＦＣを自律的に決定するので、Ｎｏｄｅ Ｂのノイズライズの変動量(ノイズライズの分散)はさらに大きくなる。
【０００８】
図２は、時間の流れに従うＮｏｄｅ Ｂのノイズライズの変動量を示す。図２に示すように、Ｎｏｄｅ Ｂの干渉成分は、熱雑音、他のＮｏｄｅ Ｂの干渉成分、音声チャンネルによる干渉成分、及びパケットチャンネルによる干渉成分に区分される。この熱雑音、他のＮｏｄｅ Ｂの干渉成分、及び音声チャンネルによる干渉成分の分散が非常に小さいので、時間に対して変動量の予測が可能である。しかしながら、時間がたつにつれて分散が非常に大きくなるため、このパケットチャンネルによる干渉成分の変動量を正確に予測することができない。すなわち、Ｎｏｄｅ Ｂのノイズライズの変動量は、主に、パケットチャンネルによる干渉成分の変動量によって決定される。
【０００９】
図２において、‘ｍａｘ’は、最大許容可能な干渉レベルを意味し、‘ｔａｒｇｅｔ＿１’は、時間に従う干渉レベルの変動値を反映した目標干渉レベルを意味する。また、‘ｍａｒｇｉｎ’は、この最大許容可能な干渉レベルと目標干渉レベルとの差である。この‘ｍａｒｇｉｎ’は、この干渉レベルの変動値に従って決定される。すなわち、どんな場合でも、ノイズライズの総計がこの‘ｍａｘ’値を超えないようにスケジューリングしなければならないので、ノイズライズの変動量が大きい場合には、ノイズライズの変動量に比例してマージンを増加させなければならない。
【００１０】
以下、このノイズライズについて説明する。下記式(1)は、このノイズライズを示している。
【００１１】
【数１】
2008236771.tif 000003
【００１２】
式(1)において、Ｉｏｒは、特定のセルに位置しているＵＥから受信した受信信号の電力を意味し、Ｉｏｃは、他のセルに位置しているＵＥから受信した受信信号の電力を意味し、Ｎｔは、ノイズの電力を意味する。
【００１３】
上述したように、ＣＤＭＡを含むすべての移動通信システムで、このパケットチャンネルによる干渉成分は、パケットデータの特性によって干渉レベルの変動値が非常に大きい。従って、このマージンも大きくなる。このとき、各ＵＥでデータの伝送速度を自律的に決定することは、このノイズライズの変動量を増加させ、これによるマージンも増加する。すなわち、このマージンが大きくなるほど、Ｎｏｄｅ Ｂが各ＵＥのために割り当てることができるパワーが小さくなる。結論的に、このマージンが大きくなるほど、この無線資源の浪費が増加される。
【００１４】
図３は、ＵＥがアップリンクを通してデータを伝送する一般な事項を示す。図３に示すシステムは、ＲＮＣ３００、Ｎｏｄｅ Ｂ３０２、及び端末３０４を含む。ＵＥ３０４は、矢印３０６で示すように、Ｎｏｄｅ Ｂ３０２に向上した専用物理制御チャンネル(Enhanced Dedicated Physical Control Channel；Ｅ−ＤＰＣＣＨ)を通してデータレート及び制御情報を要請する。Ｎｏｄｅ Ｂ３０２は、矢印３１０で示すように、ＵＥ３０４の要請に応じて制御情報及びデータレートを伝送する。特に、ＲＮＣ３００は、制御情報及びデータレートを決定してＮｏｄｅ Ｂ３０２を通してＵＥ３０４に伝送する。ＵＥ３０４は、矢印３０８で示すように、ＲＮＣ３００から受信したデータレート及び制御情報を用いてデータを伝送する。このとき、データは、向上した専用物理データチャンネル(Enhanced Dedicated Physical Data Channel；Ｅ−ＤＰＤＣＨ)を通して伝送される。
【００１５】
図４は、ＵＥによってＴＦＣを決定するプロセスを示す。
ステップ４０２で、ＵＥは、Ｎｏｄｅ ＢからＵＥポインターｊ(pointer)を受信したか否かを判断する。ＵＥポインターｊを受信したら、ステップ４２４へ進行し、ＵＥポインターｊを受信しなかったら、ステップ４０４へ進行する。
【００１６】
以下、図５を参照して、Ｎｏｄｅ Ｂポインター及びＵＥポインターｊについて説明する。このＮｏｄｅ Ｂポインター５０２は、ＲＮＣが管轄の下にセルに属する特定のＮｏｄｅ Ｂに伝送するＮｏｄｅ Ｂに割り当てられたＴＦＣＳ５００の内のＴＦＣを意味し、ＵＥポインターｊ５０４は、Ｎｏｄｅ ＢがこのＲＮＣから伝達されたＴＦＣＳと受信した干渉レベルとを考慮して、このＵＥに割り当てるＴＦＣを意味する。このとき、このＵＥは、ＵＥポインターｊ５０４の内でのみＴＦＣを選択することができ、ＵＥポインターＪを用いてデータを伝送する。図４を参照して、初期伝送の場合、このＵＥは、ステップ４０２からステップ４０４へ進行して該当する動作を遂行する。
【００１７】
ステップ４０４で、このＵＥは、バッファ状態をチェックする。このバッファに伝送するデータがある場合、このＵＥは、ステップ４０６へ進行し、このバッファに伝送するデータがない場合、このＵＥは、ステップ４２６へ進行して、そのプロセスを終了する。ステップ４０６で、このＵＥは、このバッファ状態、最大伝送電力、Ｎｏｄｅ Ｂポインター５０２、及びＴＦＣＳ５００を設定する。
【００１８】
ステップ４０８で、このＵＥは、このデータを伝送する間に一定の時間間隔でバッファ状態をチェックする。このＵＥは、Ｎｏｄｅ Ｂにこのバッファ状態を報告することもできる。このＵＥは、バッファに貯蔵されているデータ量及び最大伝送電力を考慮して、最適のデータレートを決定する。また、このＵＥは、このＴＦＣＳを用いてこの決定されたデータレートに該当するＴＦＣを選択する。この選択されたＴＦＣは、ＴＦＣＩとして設定される。
【００１９】
ステップ４１０で、このＵＥは、現在伝送しているデータレートに該当するＴＦＣとステップ４０８で選択されたＴＦＣとを比較する。‘ｉ’は、この選択されたＴＦＣを示し、ステップ４１０で、‘ｐ’は、現在伝送されるデータレートに該当するＴＦＣのレベルを示す。図５を参照すると、ｐは、２から１０のうちのいずれか１つの値を有する。ｐが０または１を有することができない理由は、Ｎｏｄｅ Ｂに割り当てられたデータレートより高いデータレートでデータを伝送することができないためである。この比較結果、ＵＥは、ｉがｐより大きい場合、ステップ４１２へ進行し、ｉがｐより大きくない場合、ステップ４１４へ進行する。
【００２０】
ステップ４１２で、このＵＥは、Ｎｏｄｅ Ｂに現在のデータレートより１ステップ高いデータレートＵＰの割当てを要請し、この要請に対する応答を受信する。Ｎｏｄｅ Ｂは、受信干渉レベルを考慮して、このＵＥが要請したデータレートを割り当てるか否かを決定する(rate grant response)。ステップ４１６で、このＵＥは、このＮｏｄｅ Ｂが伝送したこのレートグラントメッセージ(rate grant message)をチェックする。このレートグラントメッセージのチェック結果に従って、ＵＥは、“ＤＯＷＮ”情報が受信されたら、ステップ４２２へ進行し、“ＫＥＥＰ”情報が受信されたら、ステップ４２０へ進行する。このＵＥは、“ＵＰ”情報が受信されたら、ステップ４１８を遂行する。
【００２１】
ステップ４１４で、このＵＥは、ｉ及びｐが同一であるか否かを判断する。この比較結果、ｉとｐが同一であれば、ステップ４２０へ進行し、ｉとｐが同一でなければ、ステップ４２２へ進行する。
【００２２】
ステップ４１８で、このＵＥは、現在のＴＦＣを１つ減少させる。ステップ４２０で、このＵＥは、現在のＴＦＣを保持させる。ステップ４２２で、このＵＥは、現在のＴＦＣを１つ増加させる。下記表１は、ステップ４１８からステップ４２２で遂行される動作を例に挙げて説明する。
【００２３】
【表１】
2008236771.tif 000004
【００２４】
ステップ４２４で、このＵＥは、ステップ４１８、ステップ４２０、及びステップ４２２のうちのいずれか１つのステップで設定されたＴＦＣに該当するデータレート、すなわち、このＵＥポインターが指示するデータレートでこのバッファに貯蔵されているデータを伝送する。
【００２５】
上述したように、このＵＥは、この設定されたＴＦＣに該当するデータレートでこのバッファに貯蔵されているデータを伝送すると同時に、このＴＦＣＩをＮｏｄｅ Ｂに伝送し、これによって、Ｎｏｄｅ ＢがＵＥから伝送されたデータを復号することができる。一般に、このＴＦＣＩは、１０ビットで構成され、すなわち、１０２４個(２１０)で表現される。また、このＴＦＣＩは、１０ｍｓごとに更新され、伝送時間単位(Transmission Time Interval；ＴＴＩ)で伝送される。
【００２６】
しかしながら、このＵＥが設定されたＴＦＣＩを伝送する方法について具体的に提示されていない。また、この１０ビットの長さのＴＦＣＩを伝送するため、制限された無線資源を浪費する、という問題点がある。
なお、従来技術として特許文献１〜３が知られている。
【特許文献１】特開２００３−９２５２号公報
【特許文献２】欧州特許出願公開第１００６６９２号明細書
【特許文献３】特表２００２−５３００２７号公報
【発明の開示】
【発明が解決しようとする課題】
【００２７】
上記背景に鑑みて、本発明の目的は、ＵＥからＮｏｄｅ Ｂに伝送されるデータレートに関する情報を表現するビット数を減小させる装置及び方法を提供することにある。
本発明の他の目的は、ＵＥからＮｏｄｅ Ｂに伝送されるデータレートに関する情報の伝送周期を減小させる装置及び方法を提供することにある。
本発明のまた他の目的は、ＵＥからＮｏｄｅ Ｂに伝送されるデータレートに関する情報のうち不要な情報を排除することによって、効率的に無線資源を管理する装置及び方法を提供することにある。
【課題を解決するための手段】
【００２８】
このような目的を達成するために、本発明の実施形態によれば、データを伝送する移動端末と貯蔵されたこの移動端末が伝送した識別子に該当する制御情報を用いて受信データを復元する基地局とを含む移動通信システムにおいてこの移動端末からこの制御情報を伝送する方法であって、受信されたデータから管理している制御情報のうちで使用可能な制御情報のみを抽出し、この抽出された制御情報の各々に該当する識別子を再設定するステップと、このデータの伝送に使用される制御情報に該当する識別子をこの再設定された識別子から選択し、この選択された識別子を伝送するステップと、を含むことを特徴とする。
【００２９】
また、本発明の実施形態によれば、データを伝送する移動端末と貯蔵されたこの移動端末が伝送した識別子に該当する制御情報を用いて受信データを復元する基地局とを含む移動通信システムにおいてこの移動端末からこの制御情報を伝送する方法であって、伝送しようとする制御情報に該当する各識別子を変更されずに伝送される部分と変更されて伝送される部分に区分するステップと、  この伝送しようとする制御情報に該当する識別子のうちこの変更されて伝送される部分のみを伝送するステップと、を含むことを特徴とする。
【００３０】
さらに、本発明の実施形態によれば、データを伝送する移動端末と貯蔵されたこの移動端末が伝送した識別子に該当する制御情報を用いて受信データを復元する基地局とを含む移動通信システムにおいてこの制御情報を伝送する装置であって、この基地局と、管理している制御情報のうち使用可能な制御情報のみを抽出し、この抽出された制御情報の各々に該当する識別子を再設定し、このデータの伝送に使用される制御情報に該当する識別子をこの再設定された識別子から選択し、この選択された識別子を伝送するこの移動端末と、から構成されることを特徴とする。
【００３１】
なお、本発明の実施形態によれば、データを伝送する移動端末と貯蔵されたこの移動端末が伝送した識別子に該当する制御情報を用いて受信データを復元する基地局とを含む移動通信システムにおいてこの制御情報を伝送する装置であって、この基地局と、伝送しようとする制御情報に該当する各識別子を変更されずに伝送される部分と変更されて伝送される部分とに区分し、この伝送しようとする制御情報に該当する識別子のうちこの変更されて伝送される部分のみを伝送するこの移動端末と、から構成されることを特徴とする。
【発明の効果】
【００３２】
本発明は、ＵＥからＮｏｄｅ Ｂに伝送されるＴＦＣＩを示す情報のビット数を減小させることによって無線資源を効率的に使用することができる。また、この減小されたビット数だけ他の制御情報を伝送することによって、移動通信システムの性能を向上させることができる。
【発明を実施するための最良の形態】
【００３３】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００３４】
以下、本発明では、データレートに関する情報を伝送フォーマット組合せ指示子(Transport Format Combination Indicator；ＴＦＣＩ)と呼ぶ。
本発明の実施形態は、ＵＥが逆方向パケット専用チャンネルのための制御チャンネルを用いてＴＦＣＩを伝送する場合、より小さいビットを用いてＴＦＣＩを伝送する方法を提案し、これに対応して、Ｎｏｄｅ ＢがＵＥから伝送されたＴＦＣＩを正確に検出することができるようにする方法を提案する。
【００３５】
第１の実施形態において、ＵＥは、アップリンクデータの伝送に関連して伝送可能な範囲のＴＦＣを新たな識別子であるオフセットとして割り当てて制御チャンネルを通して伝送する。
第２の実施形態において、ＵＥは、このアップリンクデータの伝送に関連して決定されたＴＦＣを有効情報と非有効情報とに区別し、制御チャンネルを通して有効情報のみを伝送する。
【００３６】
第１の実施形態
図６は、本発明の第１の実施形態に従って伝送フォーマットオフセット(Transport Format Offset；ＴＦＯ)を割り当てる構造を示す。
図６を参照すると、ＵＥは、アップリンクデータの伝送に関連してＮｏｄｅ Ｂから全ＴＦＣＳ６００を受信した状態である。ＴＦＣＳ６００は、ＴＦＣＯからＴＦＣ１０を含み、このＴＦＣ０は、一番高いデータの伝送速度を示し、このＴＦＣ１０は、一番低いデータの伝送速度を示す。また、ＴＦＣＳ６００において、ＴＦＣ３は、Ｎｏｄｅ Ｂポインター６０２として設定され、ＴＦＣ７は、ＵＥポインター６０４として設定される。
【００３７】
結果的に、このＵＥは、ＵＥポインター６０４の範囲内のＴＦＣ７〜ＴＦＣ１０に該当するデータレートのみを使用することができる。このＴＦＣ０〜ＴＦＣ６は、このＵＥポインター６０４が変更されるまで、このＵＥで逆方向パケットの伝送のためのデータレートとして使用されることができない。
【００３８】
従って、ＵＥは、バッファに貯蔵されているデータ量及び最大伝送電力を考慮して、このＵＥポインター６０４の範囲内で最適のデータレートを決定する。このとき、この決定されたＴＦＣに関する情報は、制御チャンネルを通してＮｏｄｅ Ｂに伝送される。これは、Ｎｏｄｅ ＢがＵＥによって選択されたＴＦＣを用いて、このＵＥが伝送するアップリンクデータに対する復号工程を遂行するようにするためである。
【００３９】
このとき、ＵＥは、自分が使用可能なこのＴＦＣに関する情報を伝送するにあたって、ＵＥポインター６０４に基づいてＴＦＣ７からＴＦＣ１０を２ビットの伝送フォーマットオフセット(ＴＦＯ)に割り当てる。以下、この機能に関連して詳細に説明する。
【００４０】
既存のＵＥは、４ビットを使用してこのＴＦＣ０からＴＦＣ１０のうち設定されたＴＦＣを伝送した。すなわち、ＵＥは、選択されたＴＦＣを伝送する際に１０ビットを使用した。
【００４１】
しかしながら、実際的に、ＵＥは、このＵＥポインター６０４の範囲のＴＦＣのみを割り当てることができる。また、ＵＥは、このＮｏｄｅ ＢからＵＥポインター６０４を受信してこれを認知している状態である。
【００４２】
従って、ＵＥは、ＵＥポインター６０４に基づいてＴＦＣを順次的に割り当てて制御チャンネルを通してＮｏｄｅ Ｂへ伝送する。すなわち、ＵＥは、このＴＦＣ７がＴＦＯ０に対応し、ＴＦＣ８がＴＦＯ１に対応し、ＴＦＣ９がＴＦＯ２に対応し、ＴＦＣ１０がＴＦＯ３に対応するように割り当てる。
【００４３】
その結果、このＵＥからＮｏｄｅ Ｂに伝送される制御情報を表すビット数が減小されることによって、他のＮｏｄｅ Ｂに対して干渉信号として作用するサイズが減小される。また、ＵＥからＮｏｄｅ Ｂに伝送される制御情報を表すビット数が減小されるにつれて、この制御情報の伝送周期も減小される。これによって、Ｎｏｄｅ Ｂは、正確な制御情報を受信することができる。
【００４４】
図７は、本発明の実施形態に従ってＵＥポイントが変更された場合ＴＦＯを割り当てる場合のＴＦＣＳの構成を示す。
図７を参照すると、このＮｏｄｅ Ｂは、ＴＦＣＳ７００から更新されたＴＦＣをＵＥへ伝送する。このとき、図６と比較すると、Ｎｏｄｅ Ｂポインター７０２は変更されなかったが、図７において、ＵＥポインター７０４は変更された。すなわち、ＵＥポイント７０４がＴＦＣ７からＴＦＣ５に変更された。
【００４５】
このＵＥポインター７０４がＴＦＣ７からＴＦＣ５に変更された場合、このＵＥが伝送することができるデータレートは、このＴＦＣ５からＴＦＣ１０に対応するデータレートである。すなわち、このＴＦＣ５〜ＴＦＣ１０に対応してＴＦＯを表すビット数が可変される。例えば、このＴＦＣ５は、ＴＦＯ０に対応し、ＴＦＣ６は、ＴＦＯ１に対応することができる。このＴＦＯ０〜ＴＦＯ５を区別するためには、少なくとも３ビットが必要である。
しかしながら、このＴＦＯを区別することができるビット数が固定される場合(例えば、図７に関連して２ビット)、図７に示すように、このＴＦＣ９及びＴＦＣ１０は、ＴＦＯとして表現されることができない、という問題点がある。
【００４６】
図８は、図７のような場合にＴＦＯを割り当てる場合の構成を示す。
図８を参照すると、ＵＥは、バッファ状態及び最大伝送電力を考慮して伝送しようとするデータの量が多い場合、伝送可能な最大データレートを選択してアップリンクデータを伝送する。このとき、ＵＥポインター８０４がＴＦＣ７からＴＦＣ５に変更された場合、ＵＥが伝送可能な最大データレートは、ＵＥポインター８０４またはＵＥポインター８０４に隣接したＴＦＣである。
【００４７】
従って、ＵＥは、ＴＦＯがＵＥポインター８０４に隣接したＴＦＣに対応するようにＴＦＯを割り当てる。例えば、このＴＦＣ５は、ＴＦＯ０として割り当てられ、このＴＦＣ６は、ＴＦＯ１として割り当てられ、このＴＦＣ７は、ＴＦＯ２として割り当てられる。伝送するデータがない場合を考慮して、このＴＦＣ１０は、ＴＦＯ３として割り当てられる。すなわち、ＵＥが使用するデータレートに関する情報を用いて、ＴＦＣに対応するＴＦＯを決定することができる。このとき、ＵＥは、使用されるＴＦＣの使用頻度数を測定し、この測定された使用頻度数に基づいて、このＴＦＯに対応するＴＦＣを決定することができる。
【００４８】
また、逆方向パケット専用チャンネルを通して伝送されるデータは、伝送制御プロトコル(Transmission Control Protocol；ＴＣＰ)のＡＣＫ情報などのような長さが短く、遅延に敏感なデータが複数存在することで予想されるので、最小のデータレートに対応するＴＦＣもＴＦＯとして設定されることができる。
【００４９】
第２の実施形態
図９は、１０ビットの長さの任意のＴＦＣの構成を示し、図１０は、図９と関連して、本発明の第２の実施形態に従って有効情報と非有効情報とを区別して制御情報を伝送する構成を示す。
【００５０】
図９及び図１０を参照すると、１０ビットで表現されるＴＦＣＳのうち、上位４ビット９０２〜９０８は、よく変更されない情報である。すなわち、ＵＥは、以前のＴＦＣを考慮して１段階高いＴＦＣを伝送するか、又は、１段階低いＴＦＣを伝送する。従って、この上位４ビット(９０２、９０４、９０６、及び９０８)は、変更される可能性が低い非有効情報を示し、下位６ビット９１０は、変更される可能性が高い有効情報を示す。
【００５１】
従って、１番目のフレーム１００２は、最上位ビット９０２と有効情報である下位６ビット９１０をエンコーディングして伝送し、２番目のフレーム１００４は、最上位ビット９０４とこの下位６ビット９１０をエンコーディングして伝送し、３番目のフレーム１００６は、最上位ビット９０６とこの下位６ビット９１０をエンコーディングして伝送し、４番目のフレーム１００８は、最上位ビット９０８とこの下位６ビット９１０をエンコーディングして伝送する。そして、次のフレーム１０１０で、この動作を反復する。その結果、このＴＦＣＩの伝送のために設定された周期は、望ましくは、４フレームになる。
【００５２】
図１１は、本発明の第２の実施形態に従って制御情報を生成する他の構造を示す。
図９を参照すると、上位４ビット９０２から９０８に関する情報は、別途に伝送されず、１番目から４番目のフレーム１１０２〜１１０８は、下位６ビット９１０のみをエンコーディングして伝送する。これは、最初、Ｎｏｄｅ ＢがＵＥにＮｏｄｅ Ｂポインターを割り当て、これによって、Ｎｏｄｅ Ｂは、ＵＥが伝送するＴＦＣＩの上位４ビットに関する情報を十分に推定することができることを前提とする。また、特別の場合には、上位４ビットに関する情報を別途に伝送することもできる。
【００５３】
図１２は、本発明の第２の実施形態に従って、制御情報を生成するまた他の構造を示す。
図１２を参照すると、１番目のフレーム１２０２には、ＴＦＣＩを示す１０ビット９０２〜９１０をすべて伝送し、すなわち、変更される可能性が低い非有効情報、すなわち、上位４ビット９０２〜９０８と、有効情報、すなわち、下位６ビット９１０とを区分して伝送し、２番目から４番目のフレーム１２０４〜１２０８の間には、下位６ビット９１０のみを伝送する。そして、次のフレーム１２１０で、ＴＦＣＩを示す１０ビットのすべてをさらに伝送しつつ、上述したような同一の動作をフレーム単位の一定の周期で反復する。すなわち、このデータレートスケジューリングの周期は、望ましくは、４フレームである。
【００５４】
本実施形態で説明したように、非有効情報と有効情報との区分は、使用者の設定、スケジューリング方法の変更などのような多様なパラメータによって変更されることができ、ＴＦＣＩを伝送する周期もこのような要素またはこれらの組合せによって変更されることができることは自明である。
【００５５】
また、本発明において、ＴＦＣＩが伝送されるチャンネルは明確に規定されていないが、ＴＦＣＩを含む制御情報は、Ｅ−ＤＰＤＣＨを支援するためのＥ−ＤＰＣＣＨを介して伝送されることができる。参考にて、Ｅ−ＤＰＣＣＨの構成は、ＤＰＤＣＨを支援するためのＤＰＣＣＨ及びＨＳ−ＰＤＳＣＨを支援するためのＨＳ−ＤＰＣＣＨなどを通して予想されることもできる。しかしながら、本発明は、ＴＦＣＩの伝送を目的としているので、ＴＦＣＩ以外の制御情報の伝送については言及されない。また、すでに３ＧＰＰ規格に定義されているか、又は、今後に考慮されるチャンネルを通して本発明の実施形態が提案するＴＦＣＩが伝送されることができることは明らかである。
【００５６】
図１３は、本発明の実施形態を支援するためのＵＥの送信構造を概略的に示すブロック図である。
図１３を参照すると、ＵＥは、Ｎｏｄｅ Ｂから伝送されたＴＦＣＳ、バッファ状態、最大伝送電力、及びＮｏｄｅ Ｂポインターを考慮して最適のＴＦＣを選択し、この選択されたＴＦＣに関する情報をＴＦＣＩ生成器１３０２へ伝送する。ＴＦＣＩ生成器１３０２は、制御器１３０４の制御に従って、本発明の第１の実施形態及び第２の実施形態に示した方法にて、ＴＦＣＩビットを生成してＴＦＣＩ符号化器(encoder)１３０６に出力する。ＴＦＣＩ符号化器１３０６は、制御器１３０４の制御信号に従ってエンコーディングを遂行し、エンコーディングされたＴＦＣＩを出力してＮｏｄｅ Ｂへ伝送する。ＴＦＣＩ符号化器１３０６は、一般に、ブロックコーディングが使用される。
【００５７】
上述したように、本発明の実施形態で、ＵＥが認知しているＵＥポインターとＮｏｄｅ Ｂが認知しているＵＥポインターとが相互に異なる場合、このＵＥは、このＴＦＯ伝送周期より長い伝送周期を用いて、このＮｏｄｅ ＢにＵＥポインターに関する情報を伝送することができる。すなわち、ＴＦＣＳを構成しているすべての情報を伝送することによって、このＵＥとＮｏｄｅ ＢとのＵＥポインターを一致させることができる。また、ＵＥがＮｏｄｅ Ｂにデータレートの増加を要請し、このＮｏｄｅ ＢがＵＥの要請を許容する場合、このＮｏｄｅ Ｂは、ＵＥに更新されたＴＦＣＳを伝送することによって、ＵＥとＮｏｄｅ ＢとのＵＥポインターを一致させることができる。
【００５８】
以上、本発明を具体的な実施形態を参照して詳細に説明したが、本発明の範囲は、前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００５９】
【図１】一般なＴＦＣＳの構成を示す図である。
【図２】従来の移動通信システムで発生される干渉信号の種類及びサイズを示す図である。
【図３】干渉信号を減小させるために提案したＵＥとＮｏｄｅ Ｂとの間の従来のシグナリングを示すブロック図である。
【図４】本発明が適用されるＵＥでデータレートを決定する従来のプロセスを示すフローチャートである。
【図５】図４に示したＵＥに伝送されるＴＦＣＳの構成を示す図である。
【図６】本発明の実施形態に従ってＴＦＯを割り当てる場合ＴＦＣＳの構成を示す図である。
【図７】本発明の実施形態に従ってＵＥポイントが変更された場合ＴＦＯを割り当てる場合のＴＦＣＳの構成を示す図である。
【図８】図７に関連してＴＦＯを割り当てる構成を示す図である。
【図９】本発明が適用される１０ビットの長さのＴＦＣ構造を示す図である。
【図１０】本発明の実施形態に従って制御情報を生成する例を示す図である。
【図１１】本発明の実施形態に従って制御情報を生成する他の例を示す図である。
【図１２】本発明の実施形態に従って制御情報を生成するまた他の例を示す図である。
【図１３】本発明の実施形態に従ってＵＥの送信構成を示すブロック図である。
【符号の説明】
【００６０】
６００、７００  ＴＦＣＳ
６０２、７０２  Ｎｏｄｅ  Ｂポインター
６０４、７０４  ＵＥポインター
１３０２  ＴＦＣＩ生成器
１３０４  制御器
１３０６  ＴＦＣＩ符号化器
【図１】
2008236771.tif 000005
【図２】
2008236771.tif 000006
【図３】
2008236771.tif 000007
【図４】
2008236771.tif 000008
【図５】
2008236771.tif 000009
【図６】
2008236771.tif 000010
【図７】
2008236771.tif 000011
【図８】
2008236771.tif 000012
【図９】
2008236771.tif 000013
【図１０】
2008236771.tif 000014
【図１１】
2008236771.tif 000015
【図１２】
2008236771.tif 000016
【図１３】
2008236771.tif 000017